(57)【特許請求の範囲】
【請求項１】
異物を含む液体が流入する第１タンクを有するタンク部と、
前記第１タンクの中央部に設けられ、前記第１タンクに貯留された前記液体を排出するポンプと、を備え、
前記第１タンクは、底面と、前記底面に接続された４つの側面と、前記底面と前記４つの側面のうち２つの側面とがそれぞれ接続された４つの角と、前記４つの角をそれぞれ覆う４つの傾斜面と、を有し、
前記４つの傾斜面は、前記２つの側面が接続された接続部から前記中央部に向かうにしたがい前記底面に近づくように傾き、
前記第１タンクに流入する前記液体により、前記第１タンク内に渦流を発生させ、前記異物を前記第１タンクの前記中央部に集めて前記ポンプにより排出する、
濾過装置。
【請求項２】
前記傾斜面は、前記底面と前記２つの側面とに接続されている、
請求項１に記載の濾過装置。
【請求項３】
前記傾斜面は、板材で形成されている、
請求項１または２に記載の濾過装置。
【請求項４】
前記第１タンクに流入する前に前記液体を処理する第１処理装置をさらに備え、
前記第１タンクは、複数の前記側面の１つである第１側面に沿って設けられ、前記第１処理装置で処理された前記液体が流れる第１流路を有し、
前記第１流路は、前記第１処理装置の出口側に位置する上流から前記底面側に位置する下流に向けて傾き、かつ前記第１側面に向かうにしたがい前記底面に近づくように傾く底板を有する、
請求項１乃至３のいずれか１項に記載の濾過装置。
【請求項５】
前記ポンプに接続され、前記ポンプから排出される前記液体を処理する第２処理装置をさらに備え、
前記タンク部は、前記第２処理装置により処理された前記液体が流入する第２タンクを有し、
前記第１タンクは、前記第１側面と対向する第２側面と、前記第２側面に沿って設けられ、前記第２タンクに貯留された前記液体が流れる第２流路と、をさらに有し、
前記第２流路は、前記第２タンク側に位置する上流から前記底面側に位置する下流に向けて傾き、かつ前記第２側面に向かうにしたがい前記底面に近づくように傾く底板を有し、
前記第２流路を流れる前記液体の流れ方向は、前記第１流路を流れる前記液体の流れ方向と逆方向である、
請求項４に記載の濾過装置。
【請求項６】
異物を含む液体を処理する第１処理装置と、
前記第１処理装置により処理された前記液体が流入する第１タンクを有するタンク部と、
前記第１タンクの中央部に設けられ、前記第１タンクに貯留された前記液体を排出するポンプと、を備え、
前記第１タンクは、底面と、前記底面に接続された複数の側面と、複数の前記側面の１つである第１側面に沿って設けられ、前記第１処理装置で処理された前記液体が流れる第１流路と、を有し、
前記第１流路は、前記第１処理装置の出口側に位置する上流から前記底面側に位置する下流に向けて傾き、かつ前記第１側面に向かうにしたがい前記底面に近づくように傾く底板を有し、
前記第１タンクに流入する前記液体により、前記第１タンク内に渦流を発生させ、前記異物を前記第１タンクの前記中央部に集めて前記ポンプにより排出する、
濾過装置。
【請求項７】
前記第１流路の前記下流側に位置する端部は、前記ポンプの運転時に前記第１タンクに貯留された前記液体に浸かっている、
請求項６に記載の濾過装置。
【請求項８】
前記ポンプに接続され、前記ポンプから排出される前記液体を処理する第２処理装置をさらに備え、
前記タンク部は、前記第２処理装置により処理された前記液体が流入する第２タンクを有し、
前記第１タンクは、前記第１側面と対向する第２側面と、前記第２側面に沿って設けられ、前記第２タンクに貯留された前記液体が流れる第２流路と、をさらに有し、
前記第２流路は、前記第２タンク側に位置する上流から前記底面側に位置する下流に向けて傾き、かつ前記第２側面に向かうにしたがい前記底面に近づくように傾く底板を有し、
前記第２流路を流れる前記液体の流れ方向は、前記第１流路を流れる前記液体の流れ方向と逆方向である、
請求項６または７に記載の濾過装置。
【請求項９】
前記第２流路の前記下流側に位置する端部は、前記ポンプの運転時に前記第１タンクに貯留された前記液体に浸かっている、
請求項８に記載の濾過装置。
【請求項１０】
前記第１タンクは、前記ポンプと前記側面との間において、前記側面よりも前記ポンプの近くに設けられた板材をさらに有し、
前記板材は、前記渦流の流れ方向と交差する面を有し、
前記板材と前記ポンプとの間、前記板材と前記側面との間、および前記板材と前記底面との間には、隙間がそれぞれ形成され、
前記板材の少なくとも一部は、前記ポンプの運転時に前記第１タンクに貯留された前記液体に浸かっている、
請求項１乃至９のいずれか１項に記載の濾過装置。
【請求項１１】
前記板材は、前記側面側の端部が曲げられている、
請求項１０に記載の濾過装置。
【発明の詳細な説明】
【技術分野】
【０００１】
本発明は、濾過装置に関する。
【背景技術】
【０００２】
工作機械により金属材料等を研削、切削等する際、加工精度の向上や、使用する工具の寿命の延命および切り屑や金属粉等の排出を促進することを目的として研削液、切削液、クーラント等と呼ばれる各種の液体が使用されている。これらの液体は、機械加工により生じた切り屑や金属粉等の異物が含まれた状態で工作機械から排出される。
【０００３】
工作機械から排出された液体は、切り屑等の異物を分離して除去した後、再び工作機械に戻して利用される。そのため、工作機械から排出された液体を回収し、異物を分離して除去するために種々の装置が知られている。
【０００４】
例えば、特許文献１には、濾過槽内に異物を含む液体が流入されると、濾過槽の角部に設けられた湾曲板に沿って液体が流動し、濾過槽の内部に渦流を発生させ、この渦流により異物を濾過槽の中央部に集め、集まった異物をポンプにより吸引して排出するための濾過装置が開示されている。当該濾過装置であれば、濾過槽に渦流を発生させるための装置を設置したり、濾過槽自体を円筒形状に形成したりすることなく、渦流を発生することができるという利点がある。
【先行技術文献】
【特許文献】
【０００５】
【特許文献１】特許第４３４６４４７号公報
【発明の概要】
【発明が解決しようとする課題】
【０００６】
上記特許文献１に開示された濾過装置を踏まえても、工作機械から排出された液体に含まれる異物の分離や除去に関しては未だに種々の改善の余地がある。液体から異物を分離したり除去したりするために、例えば、濾過槽（タンク）内において異物が滞留しにくいこと等が要望されている。そこで、本発明は、工作機械から排出された液体に含まれる異物をより効率的に処理することができる濾過装置を提供することを目的の一つとする。
【課題を解決するための手段】
【０００７】
本発明の一態様に係る濾過装置は、異物を含む液体が流入する第１タンクを有するタンク部と、前記第１タンクの中央部に設けられ、前記第１タンクに貯留された前記液体を排出するポンプと、を備えている。前記第１タンクは、前記第１タンクの底面と前記底面に接続された２つの側面が接続された角を覆い、２つの前記側面が接続された接続部から前記中央部に向かうにしたがい前記底面に近づくように傾く傾斜面を有している。前記第１タンクに流入する前記液体により、前記第１タンク内に渦流を発生させ、前記異物を前記第１タンクの前記中央部に集めて前記ポンプにより排出する。
【０００８】
本発明の一態様に係る濾過装置は、異物を含む液体を処理する第１処理装置と、前記第１処理装置により処理された前記液体が流入する第１タンクを有するタンク部と、前記第１タンクの中央部に設けられ、前記第１タンクに貯留された前記液体を排出するポンプと、を備えている。前記第１タンクは、底面と、前記底面に接続された複数の側面と、複数の前記側面の１つである第１側面に沿って設けられ、前記第１処理装置で処理された前記液体が流れる第１流路と、を有している。
【０００９】
前記第１流路は、前記第１処理装置の出口側に位置する上流から前記底面側に位置する下流に向けて傾き、かつ前記第１側面に向かうにしたがい前記底面に近づくように傾く底板を有している。前記第１タンクに流入する前記液体により、前記第１タンク内に渦流を発生させ、前記異物を前記第１タンクの前記中央部に集めて前記ポンプにより排出する。
【発明の効果】
【００１０】
本発明によれば、工作機械から排出された液体に含まれる異物をより効率的に処理することができる濾過装置を提供することができる。
【図面の簡単な説明】
【００１１】
【図１】図１は、一実施形態に係る濾過装置の概略的な側面図である。
【図２】図２は、一実施形態に係る濾過装置の概略的な平面図である。
【図３】図３は、濾過装置が備えるタンク部の概略的な斜視図である。
【図４】図４は、濾過装置が備えるタンク部の概略的な平面図である。
【図５】図５は、図４におけるＡ−Ａ線に沿うタンク部の概略的な断面図である。
【図６】図６は、図４におけるＢ−Ｂ線に沿うタンク部の概略的な断面図である。
【図７】図７は、第１流路の概略的な斜視図である。
【図８】図８は、図４におけるＣ−Ｃ線に沿うタンク部の概略的な断面図である。
【図９】図９は、図４におけるＢ−Ｂ線に沿うタンク部の概略的な断面図である。
【図１０】図１０は、第２流路の概略的な斜視図である。
【図１１】図１１は、図４におけるＤ−Ｄ線に沿うタンク部の概略的な断面図である。
【図１２】図１２は、濾過装置の第１タンク側の概略的な斜視図である。
【図１３】図１３は、図１２における板材の近傍を拡大して示す図である。
【図１４】図１４は、図１３における板材の概略的な平面図である。
【図１５】図１５は、第１タンクに設けられる板材の他の例を示す概略的な平面図である。
【図１６】図１６は、タンク部の他の例を示す概略的な側面図である。
【図１７】図１７は、タンク部の他の例を示す概略的な平面図である。
【図１８】図１８は、第２流路の他の例を示す概略的な平面図である。
【図１９】図１９は、第１タンクにおける第１処理装置が設けられる位置の他の例を示す平面図である。
【図２０】図２０は、第１タンクにおける第１処理装置が設けられる位置のさらに他の例を示す平面図である。
【発明を実施するための形態】
【００１２】
濾過装置の一実施形態につき、図面を参照しながら説明する。
本実施形態においては、例えば研摩機のような工作機械から排出される研削液から異物を処理する濾過装置を例示する。異物には、研削によって生じた金属粉、砥粒等が含まれる。
【００１３】
図１は、本実施形態に係る濾過装置１００の概略的な側面図である。図２は、本実施形態に係る濾過装置１００の概略的な平面図である。以下の説明においては、図１および図２に示すようにＸ方向、Ｙ方向およびＺ方向を定義する。Ｘ方向およびＹ方向は、いずれも濾過装置１００の設置面と平行な水平方向に相当し、互いに直交している。Ｚ方向は、鉛直方向に相当し、Ｘ方向およびＹ方向と直交している。Ｚ方向の矢印が示す方向を上方と呼ぶことがある。また、Ｘ方向およびＹ方向で規定されるＸ−Ｙ平面を見ることを平面視と呼ぶことがある。
【００１４】
濾過装置１００は、液体を貯留するタンク部ＴＡと、異物を含む液体を処理する第１処理装置１および第２処理装置２と、タンク部ＴＡに貯留された液体を排出する第１ポンプＰ１および第２ポンプＰ２とを備えている。ここで、「処理する」とは、例えば工作機械から排出された液体に含まれる異物を当該液体から分離したり、除去したりすることをいう。
【００１５】
タンク部ＴＡは、平面視においてＸ方向の長さがＹ方向の長さよりも長い長方形状である。タンク部ＴＡは、第１タンクＴ１と第２タンクＴ２とを有している。タンク部ＴＡには、第１処理装置１で処理された液体が流れる第１流路Ｒ１と、第２タンクＴ２に貯留された液体が流れる第２流路Ｒ２とを有している。第１流路Ｒ１および第２流路Ｒ２は、平面視において第１タンクＴ１の対角に位置している。
【００１６】
第１タンクＴ１には、第１流路Ｒ１および第２流路Ｒ２から液体が流入することにより渦流が発生する。液体とともに第１タンクＴ１に流入した異物には、発生した渦流により渦流の中央部に向かう力（向心力）が働く。そのため、異物は、渦流により第１タンク内を旋回しながら第１タンクＴ１の中央部ＣＥに集められる。
【００１７】
渦流の中央部は、第１タンクＴ１の中央部ＣＥと重なっている。第１タンクＴ１の中央部ＣＥは、例えば、平面視において第１タンクＴ１の対角線の交点と重なる。図２において、渦流の流れ方向を矢印Ｆで示す。さらに、第１タンクＴ１には、第１ポンプＰ１の近傍に渦流の流れ方向と交差する面Ｂ１を有する板材ＢＰが設けられている。
【００１８】
図示した例において、第１処理装置１および第２処理装置２は、第１タンクＴ１の上方に設けられている。第１処理装置１は、工作機械から排出された液体を第１タンクＴ１に流入する前に処理する。第１処理装置１は、例えばマグネット式のセパレータである。工作機械から排出された液体に磁性体が含まれる場合、第１処理装置１にて液体から磁性体が処理される。
【００１９】
第１処理装置１は、第１タンクＴ１に向けて開口する出口１ａを有している。第１処理装置１で処理された液体は、出口１ａから排出される。第１処理装置１での液体の処理量は、例えば毎分８０Ｌ〜３６０Ｌである。第１処理装置１から排出された液体には、第１処理装置１では処理できなかった異物が含まれている。
【００２０】
第２処理装置２は、第１タンクＴ１から排出される液体を第２タンクＴ２に流入する前に処理する。第２処理装置２は、例えば液体に含まれる異物を遠心力により除去するサイクロン式の異物分離装置である。第２処理装置２では、第１処理装置１では処理できなかった異物が液体から処理される。第２処理装置２で処理された異物は、タンク部ＴＡとは異なる回収タンクへ排出される。第２処理装置２での液体の処理量は、例えば毎分１００Ｌ〜３００Ｌである。第２処理装置２は、入口２ａと、出口２ｂとを有している。
【００２１】
第１ポンプＰ１は、第１タンクＴ１の中央部ＣＥに設けられている。第２ポンプＰ２は、第２タンクＴ２における第２流路Ｒ２の近傍に設けられている。第１ポンプＰ１および第２ポンプＰ２の各々は、後述の底面１０Ａ，１０Ｂ側に位置する吸込口Ｐ１ａ，Ｐ２ａと、吐出口Ｐ１ｂ，Ｐ２ｂとを有している。第１タンクＴ１の中央部ＣＥに集められた異物は、液体とともに第１ポンプＰ１の吸込口Ｐ１ａから吸い込まれ、吐出口Ｐ１ｂより排出される。
【００２２】
第１ポンプＰ１の吐出口Ｐ１ｂは、ホースＨ１により第２処理装置２の入口２ａと接続されている。第２処理装置２の出口２ｂは、ホースＨ２により第２タンクＴ２に設けられた導入管ＴＰと接続されている。第１処理装置１、第２処理装置２、第１ポンプＰ１および第２ポンプＰ２は、サポート等によりタンクＴ１，Ｔ２にそれぞれ設けられている。
【００２３】
次に濾過装置１００における液体の流れを説明する。まず、図示しない工作機械から排出された液体は、第１タンクＴ１に流入する前に第１処理装置１で処理される。第１処理装置１で処理された液体は、出口１ａから排出される。第１タンクＴ１の第１流路Ｒ１は、Ｚ方向において出口１ａと重なる位置に設けられている。出口１ａから排出された液体は、第１流路Ｒ１を通り第１タンクＴ１に流入する。
【００２４】
第１処理装置１で処理できなかった異物は、液体とともに第１タンクＴ１に流入する。異物が第１タンクＴ１に流入すると、第１タンクＴ１内の渦流により旋回しながら第１タンクＴ１の中央部ＣＥに集められる。そして、第１タンクＴ１に貯留された液体は、中央部ＣＥに集められた異物とともに第１ポンプＰ１の吸込口Ｐ１ａから吸い込まれる。
【００２５】
第１ポンプＰ１に吸い込まれた液体は、吐出口Ｐ１ｂからホースＨ１を介して入口２ａから第２処理装置２に流入し、処理される。第２処理装置２で処理された液体は、出口２ｂからホースＨ２を介して導入管ＴＰから第２タンクＴ２に流入する。第２処理装置２で処理された液体には、異物がほとんど含まれていない。
【００２６】
第２タンクＴ２に貯留された液体は、第２ポンプＰ２の吸込口Ｐ２ａから吸い込まれ、吐出口Ｐ２ｂに接続された図示しない配管類を介して再び工作機械に送られる。また、第２タンクＴ２において、第２タンクＴ２に貯留された液体の液面が規定の高さを超えると、第２タンクＴ２に貯留された液体が第２流路Ｒ２を介して第２タンクＴ２から第１タンクＴ１へ流入する。
【００２７】
次にタンク部ＴＡについて、説明する。図３は、濾過装置１００が備えるタンク部ＴＡの概略的な斜視図である。図４は、濾過装置１００が備えるタンク部ＴＡの概略的な平面図である。また、図３以降においては、濾過装置１００を構成する第１ポンプＰ１等の要素を一部省略している。
【００２８】
タンク部ＴＡは、底板１０と、Ｙ方向に並ぶ第１側板１１および第２側板１２と、Ｘ方向に並ぶ第３側板１３および第４側板１４とにより形成されている。第１側板１１および第２側板１２は、Ｘ方向およびＺ方向で規定されるＸ−Ｚ平面に平行である。第３側板１３および第４側板１４は、Ｙ方向およびＺ方向で規定されるＹ−Ｚ平面に平行である。タンク部ＴＡは、第３側板１３と第４側板１４の間に位置し、第３側板１３および第４側板１４と平行な仕切り板１５をさらに有している。仕切り板１５は、タンク部ＴＡを第３側板１３側に位置する第１タンクＴ１と第４側板１４側に位置する第２タンクＴ２とに隔てている。
【００２９】
第１側板１１および第２側板１２のＸ方向の長さは等しい。第３側板１３、第４側板１４および仕切り板１５のＹ方向の長さは等しい。第３側板１３のＺ方向の長さは、第４側板１４のＺ方向の長さよりも短い。また、第４側板１４のＺ方向の長さは、仕切り板１５のＺ方向の長さと等しい。
【００３０】
第１側板１１および第２側板１２において、第３側板１３と接続される辺の長さは、第３側板１３のＺ方向の長さと等しく、第４側板１４と接続される辺の長さは、第４側板１４のＺ方向の長さと等しい。第１側板１１および第２側板１２において、仕切り板１５と接続される部分のＺ方向の長さは、第４側板１４と接続される辺の長さと等しい。そのため、第２タンクＴ２のＺ方向の長さは、第１タンクＴ１のＺ方向の長さよりも長い。第２タンクＴ２に貯留される液体の液面は、第１タンクＴ１に貯留される液体の液面よりも高くすることができる。
【００３１】
第１タンクＴ１と第２タンクＴ２は上方が開口した直方体形状であり、Ｘ方向に沿って第１タンクＴ１、第２タンクＴ２の順に並んでいる。図示した例において、第１タンクＴ１は、平面視においてＸ方向およびＹ方向の長さが等しい正方形状である。第１タンクＴ１と同様に、第２タンクＴ２はＸ方向およびＹ方向の長さが等しい正方形状であってもよいし、長方形状であってもよい。
【００３２】
タンク部ＴＡの大きさは、第１処理装置１や第２処理装置２の処理量等により適宜変更される。例えば、第１タンクＴ１のＸ方向の長さは、５００ｍｍ〜２０００ｍｍである。例えば、第１タンクＴ１のＹ方向の長さは、５００ｍｍ〜２０００ｍｍである。例えば、第１タンクＴ１のＺ方向の長さは、例えば、２００ｍｍ〜５００ｍｍである。
【００３３】
タンク部ＴＡは、板材を折り曲げること等により形成されてもよい。また、第１タンクＴ１および第２タンクＴ２は、それぞれ分離したタンクとして形成されてもよい。底板１０、各側板１１〜１４および仕切り板１５は、例えば金属材料で形成される。
【００３４】
第１タンクＴ１は、底板１０が有する底面１０Ａと、第１側板１１が有する第１側面１１Ａと、第２側板１２が有する第２側面１２Ａと、第３側板１３が有する第３側面１３Ａと、仕切り板１５が第１タンクＴ１側に有する第４側面１５Ａとを有している。側面１１Ａ〜１３Ａ，１５Ａの４つは、底面１０Ａに接続されている。第１側面１１Ａは、Ｙ方向において第２側面１２Ａと対向している。第３側面１３Ａは、Ｘ方向において第４側面１５Ａと対向している。
【００３５】
第１タンクＴ１は、第１側面１１Ａと第３側面１３Ａが接続された接続部Ｊ１と、底面１０Ａと接続部Ｊ１（第１側面１１Ａと第３側面１３Ａ）が接続された角Ｃ１を有している。同様に、第１タンクＴ１は、第１側面１１Ａと第４側面１５Ａが接続された接続部Ｊ２と、底面１０Ａと接続部Ｊ２（第１側面１１Ａと第４側面１５Ａ）が接続された角Ｃ２を有している。
【００３６】
第１タンクＴ１は、第２側面１２Ａと第４側面１５Ａが接続された接続部Ｊ３と、底面１０Ａと接続部Ｊ３（第２側面１２Ａと第４側面１５Ａ）が接続された角Ｃ３を有している。第１タンクＴ１は、第２側面１２Ａと第３側面１３Ａが接続された接続部Ｊ４と、底面１０Ａと接続部Ｊ４（第２側面１２Ａと第３側面１３Ａ）が接続された角Ｃ４を有している。接続部Ｊ１〜Ｊ４は各側面によりなす角度がおよそ９０度で接続されているが、各接続部Ｊ１〜Ｊ４は丸みを有してもよい。
【００３７】
さらに、第１タンクＴ１には、角Ｃ１〜Ｃ４を覆う４つの傾斜面Ｓ１〜Ｓ４がそれぞれ設けられている。本実施形態においては、各傾斜面Ｓ１〜Ｓ４は板材２１〜２４により形成されている。板材２１〜２４の形状は、例えば三角形状である。また、板材２１，２３のように第１流路Ｒ１および第２流路Ｒ２と接触する場合等には、三角形状の板材の一部が加工されてもよい。
【００３８】
板材２１〜２４は、一例として湾曲した面を有さない平板であることが好ましい。４枚の板材２１〜２４を設けることで、角Ｃ１〜Ｃ４の各々を第１タンクＴ１の中央部ＣＥ側から覆うことができる。板材２１〜２４は、タンク部ＴＡを形成する底板１０や第１側板１１等と同様に、例えば金属材料で形成される。
【００３９】
図示した例において、傾斜面Ｓ１は底面１０Ａと第１側面１１Ａと第３側面１３Ａとに接続されている。傾斜面Ｓ２は、底面１０Ａと第１側面１１Ａと第４側面１５Ａとに接続されている。傾斜面Ｓ３は、底面１０Ａと第２側面１２Ａと第４側面１５Ａとに接続されている。傾斜面Ｓ４は、底面１０Ａと第２側面１２Ａと第３側面１３Ａとに接続されている。そのため、角Ｃ１〜Ｃ４と傾斜面Ｓ１〜Ｓ４の間には、液体は流れない。
【００４０】
図５は、図４におけるＡ−Ａ線に沿うタンク部ＴＡの概略的な断面図である。ここでは、図５を用いて角Ｃ４を覆う傾斜面Ｓ４について説明する。上述の通り角Ｃ４には、底面１０Ａと接続部Ｊ４が接続されている。板材２４の傾斜面Ｓ４は、角Ｃ４を第１タンクＴ１の中央部ＣＥ側から覆うように第１タンクＴ１に設けられている。
【００４１】
例えば、板材２４の第２側面１２Ａと接続された辺の長さは、第３側面１３Ａと接続された辺の長さと等しい。また、板材２４の第２側面１２Ａと接続された辺の長さは、底面１０Ａと接続された辺の長さよりも短くてもよいし、長くてもよいし、または等しくてもよい。
【００４２】
傾斜面Ｓ４は、接続部Ｊ４から図４に図示する第１タンクＴ１の中央部ＣＥに向かうにしたがい底面１０Ａに近づくように傾いている。底面１０Ａと板材２４とがなす角度θ１は、例えば６０度以下であることが好ましい。角度θ１は、濾過装置１００の処理量や第１タンクＴ１の容量等に応じて適宜変更される。
【００４３】
例えば、第１タンクＴ１の大きさに応じて角度θ１が４５度，５０度，５５度となるように板材２４を設けることができる。また、板材２４の底面１０Ａと反対側に位置する頂点は、例えばＺ方向において第１タンクＴ１に貯留される液体の液面よりも底面１０Ａから離れている。板材２４の底面１０Ａと反対側に位置する頂点は、Ｚ方向において第１タンクＴ１に貯留される液体の液面よりも底面１０Ａに近くてもよい。
【００４４】
角Ｃ４を覆う傾斜面Ｓ４について説明したが、他の傾斜面Ｓ１〜Ｓ３においても同様である。つまり、板材２１は、傾斜面Ｓ１が角Ｃ１を覆うように第１タンクＴ１に設けられている。板材２２は、傾斜面Ｓ２が角Ｃ２を覆うように第１タンクＴ１に設けられている。板材２３は、傾斜面Ｓ３が角Ｃ３を覆うように第１タンクＴ１に設けられている。例えば、底面１０Ａと板材２１〜２３の各々がなす角度が角度θ１と等しくなるように、板材２１〜２３は第１タンクＴ１に設けられている。
【００４５】
第１タンクＴ１の角Ｃ１〜Ｃ４が傾斜面Ｓ１〜Ｓ４によりそれぞれ覆われることで、第１タンクＴ１を流れる液体には流速が遅い部分が生じにくく、液体がほぼ均一の流速で第１タンクＴ１内を流れることができる。第１タンクＴ１に傾斜面Ｓ１〜Ｓ４を設けることで、第１タンクＴ１内の液体の回転効率を向上させることができる。
【００４６】
そのため、発生した渦流により第１タンクＴ１の全体を液体が流れやすくなり、第１タンクＴ１には異物の滞留や堆積が生じにくい。また、液面においても、泡や異物等の浮遊物の滞留が発生しにくい。
【００４７】
第２タンクＴ２は、底板１０が有する底面１０Ｂと、第１側板１１が有する第５側面１１Ｂと、第２側板１２が有する第６側面１２Ｂと、仕切り板１５が第２タンクＴ２側（第４側面１５Ａと反対側）に有する第７側面１５Ｂと、第４側板１４が有する第８側面１４Ｂとを有している。側面１１Ｂ，１２Ｂ，１４Ｂ，１５Ｂの４つは、底面１０Ｂに接続されている。第５側面１１Ｂは、Ｙ方向において第６側面１２Ｂと対向している。第７側面１５Ｂは、Ｘ方向において第８側面１４Ｂと対向している。
【００４８】
次に、第１流路Ｒ１について説明する。図６は、図４におけるＢ−Ｂ線に沿うタンク部ＴＡの概略的な断面図である。図７は、第１流路Ｒ１の概略的な斜視図である。図８は、図４におけるＣ−Ｃ線に沿うタンク部ＴＡの概略的な断面図である。図６はＹ方向と反対方向から見たタンク部ＴＡの断面である。図８はＸ方向と反対方向から見たタンク部ＴＡの断面である。
【００４９】
図６に図示するように、第１流路Ｒ１は、第１タンクＴ１において第１側板１１の第１側面１１Ａに沿って設けられている。第１流路Ｒ１は、第１タンクＴ１の接続部Ｊ１側に位置している。第１流路Ｒ１は、Ｘ方向において第３側板１３側に位置する端部Ｒ１ａと、仕切り板１５側に位置する端部Ｒ１ｂを有している。端部Ｒ１ａ側の上方には、図１および図２に図示した第１処理装置１の出口１ａが位置している。
【００５０】
第１流路Ｒ１は、Ｘ方向において端部Ｒ１ａから端部Ｒ１ｂに向かうにしたがい底面１０Ａに近づくように傾いている。端部Ｒ１ａから端部Ｒ１ｂへの傾きは、一定である。他の観点からは、Ｚ方向の端部Ｒ１ａと底面１０Ａとの長さは、端部Ｒ１ｂと底面１０Ａとの長さよりも長い。端部Ｒ１ａよりも端部Ｒ１ｂの方が、Ｚ方向において底面１０Ａ側に位置している。第１流路Ｒ１を流れる液体は、端部Ｒ１ａから端部Ｒ１ｂに向けて流れる。
【００５１】
第１流路Ｒ１においては、端部Ｒ１ａ側が上流に相当し、端部Ｒ１ｂ側が下流に相当する。図４において、第１流路Ｒ１を流れる液体の流れ方向を矢印ＦＲ１で示す。第１流路Ｒ１を流れる液体は、第３側面１３Ａ側から第４側面１５Ａ側に向けて流れる。
【００５２】
図示した例において、端部Ｒ１ａは第３側面１３Ａに接続されており、端部Ｒ１ａと第３側面１３Ａの間には、隙間が形成されていない。端部Ｒ１ｂは、Ｘ方向において第１側面１１Ａの中央付近に位置している。第１流路Ｒ１を第１側面１１Ａの中央部付近まで延ばすことで、第１流路Ｒ１を流れる液体の流れを第１タンクＴ１における渦流の発生や第１タンクＴ１を流れる液体の流速を速くすること等により生かすことができる。
【００５３】
第１流路Ｒ１は、第１側面１１Ａに接続された底板３１と、底板３１に接続された底板３２と、底板３２に接続された側板３３とを有している。底板３１の形状は、長方形状である。底板３２の形状は、三角形状である。底板３２のＹ方向（幅方向）の長さは、Ｘ方向に沿って短くなっている。第１流路Ｒ１は、底板３１，３２により扇形状に形成されている。つまり、第１流路Ｒ１のＹ方向（幅方向）において、端部Ｒ１ａ側の長さは、端部Ｒ１ｂ側の長さよりも長い。側板３３は、Ｚ方向と平行に設けられている。
【００５４】
例えば、第１流路Ｒ１の端部Ｒ１ａ側の大きさは、第１処理装置１の出口１ａの大きさよりも大きい。この場合、第１処理装置１の出口１ａから排出される液体は端部Ｒ１ａ側から第１流路Ｒ１に流入しやすい。
【００５５】
さらに、端部Ｒ１ａと第３側面１３Ａの間には隙間が形成されていないため、第１処理装置１の出口１ａから排出される液体は、第１流路Ｒ１を介さずに直接第１タンクＴ１に流入しにくい。第１処理装置１で処理された液体が第１流路Ｒ１を介して第１タンクＴ１に流入させることで、第１タンクＴ１における渦流の発生や第１タンクＴ１を流れる液体の流速を速くすること等に生かすことができる。
【００５６】
底板３１，３２や側板３３は、タンク部ＴＡを形成する底板１０や第１側板１１等と同様に、例えば金属材料で形成される。第１流路Ｒ１は、複数の板材から形成されてもよいし、１枚の板材を折り曲げることで形成されてもよい。
【００５７】
図８に図示するように、底板３１は、Ｙ方向と反対方向において、底板３２と接続された辺３２ａから第１側面１１Ａと接続された辺３１ａに向かうにしたがい底面１０Ａに近づくように傾いている。他の観点からは、Ｙ方向において、Ｚ方向の辺３２ａと底面１０Ａとの長さは、辺３１ａと底面１０Ａとの長さよりも長い。
【００５８】
図８に図示するように、Ｙ方向において、底面１０Ａに平行な面と底板３１とがなす角度θ２は、例えば１５度以上６０度以下であって（１５°≦θ２≦６０°）、好ましくは２５度以上４５度以下である（２５°≦θ２≦４５°）。例えば、角度θ２が３０度となるように底板３１を設けることができる。
【００５９】
底板３１が上述のように傾いていることで、Ｙ方向において底板３１が傾いていない場合と比較して、第１流路Ｒ１を流れる液体の流速が速くなる。流速が速くなることで、液体に含まれる異物を第１流路Ｒ１から第１タンクＴ１へ流入させやすくなる。さらに、第１流路Ｒ１を流れる液体の流速が速くなることで、第１タンクＴ１を流れる液体の流速を速くすることができる。
【００６０】
また、底板３１が上述のように傾いていることで、第１タンクＴ１に貯留された液体と底板３１と接触する部分における液体の流れが阻害されにくい。つまり、液体が底板３１の液面側の面に沿って第１側面１１Ａ側から中央部ＣＥ側に向けて流れる。そのため、液面に泡や異物等の浮遊物が存在していても液体の流れとともに底板３１に沿って流れるため、浮遊物が第１タンクＴ１に貯留された液体の液面と底板３１との間に滞留しにくい。
【００６１】
一方、底板３２は、Ｙ方向において傾いていない。他の観点からは、側板３３と接続された辺３３ａと底面１０Ａとの長さは、辺３２ａと底面１０Ａとの長さと等しい。底板３２は、底板３１と同様に、辺３３ａから辺３２ａに向かうにしたがい底面１０Ａに近づくように傾いてもよい。図６に図示するように、側板３３が有する辺３３ａと反対側に位置する辺３３ｂは、Ｘ方向と平行である。
【００６２】
図６において、濾過装置１００の運転時における第１タンクＴ１に貯留される液体の液面を液面Ｌ１Ｌおよび液面Ｌ１Ｈにてそれぞれ示す。例えば、液面Ｌ１Ｌは液面が最も低い位置であり、液面Ｌ１Ｈは液面が最も高い位置である。第１タンクＴ１に貯留される液体の液面は、濾過装置１００の運転時に液面Ｌ１Ｈから液面Ｌ１Ｌの範囲で変化することがある。
【００６３】
Ｚ方向の端部Ｒ１ｂと底面１０Ａとの長さＤ１は、液面Ｌ１Ｌと底面１０Ａとの長さＤ２よりも短い（Ｄ１＜Ｄ２）。端部Ｒ１ｂの少なくとも一部は、濾過装置１００の運転時に液体に浸かっている。そのため、端部Ｒ１ｂと液面との間には、隙間が形成されにくい。
【００６４】
側板３３の辺３３ｂは、Ｚ方向において液面Ｌ１Ｈよりも底面１０Ａから離れている。Ｚ方向の辺３３ｂと底面１０Ａとの長さＤ３は、液面Ｌ１Ｈと底面１０Ａとの長さＤ４よりも長い（Ｄ３＞Ｄ４）。濾過装置１００の運転時に第１タンクＴ１に貯留された液体は、側板３３を越えて第１流路Ｒ１に流入しにくい。そのため、第１タンクＴ１に貯留された液体により第１流路Ｒ１を流れる液体の流れは阻害されにくく、第１流路Ｒ１を流れる液体の速度は低下しにくい。
【００６５】
次に、第２流路Ｒ２について説明する。図９は、図４におけるＢ−Ｂ線に沿うタンク部ＴＡの概略的な断面図である。図１０は、第２流路Ｒ２の概略的な斜視図である。図１１は、図４におけるＤ−Ｄ線に沿うタンク部ＴＡの概略的な断面図である。図９はＹ方向から見たタンク部ＴＡの断面である。図１１はＸ方向から見たタンク部ＴＡの断面である。図１０については、第２流路Ｒ２とタンク部ＴＡの一部を図示している。
【００６６】
図９に図示するように、第２流路Ｒ２は、第２側板１２の第２側面１２Ａと第６側面１２Ｂに沿って設けられている。第２流路Ｒ２は、第１タンクＴ１の接続部Ｊ３側に位置している。第２流路Ｒ２は、第１タンクＴ１側に設けられた第１部分Ｒ２１と、第２タンクＴ２側に設けられた第２部分Ｒ２２とを有している。第１部分Ｒ２１と第２部分Ｒ２２は、図１０に図示する仕切り板１５が有する開口ＯＰ（図１０参照）を介して接続されている。開口ＯＰは、仕切り板１５における第２側板１２側の端部に設けられている。
【００６７】
第２流路Ｒ２は、Ｘ方向において第４側板１４側に位置する端部Ｒ２ａと、第３側板１３側に位置する端部Ｒ２ｂと、開口ＯＰと接続された接続部Ｒ２ｃとを有している。図示した例において、第２部分Ｒ２２のＸ方向の長さは、第１部分Ｒ２１のＸ方向の長さよりも長い。第２部分Ｒ２２のＸ方向の長さは、第１部分Ｒ２１のＸ方向の長さよりも短くてもよい。
【００６８】
第１部分Ｒ２１は、Ｘ方向と反対方向において、接続部Ｒ２ｃから端部Ｒ２ｂに向かうにしたがい底面１０Ａに近づくように傾いている。接続部Ｒ２ｃから端部Ｒ２ｂへの傾きは、一定である。他の観点からは、Ｚ方向の接続部Ｒ２ｃと底面１０Ａとの長さは、端部Ｒ２ｂと底面１０Ａとの長さよりも長い。接続部Ｒ２ｃよりも端部Ｒ２ｂの方が、Ｚ方向において底面１０Ａ側に位置している。第１部分Ｒ２１を流れる液体は、接続部Ｒ２ｃから端部Ｒ２ｂに向けて流れる。第１部分Ｒ２１においては、接続部Ｒ２ｃ側が上流に相当し、端部Ｒ２ｂ側が下流に相当する。
【００６９】
第２部分Ｒ２２は、Ｘ方向と反対方向において、端部Ｒ２ａから接続部Ｒ２ｃに向かうにしたがい底面１０Ｂに近づくように傾いている。端部Ｒ２ａから接続部Ｒ２ｃへの傾きは、一定である。他の観点からは、Ｚ方向の端部Ｒ２ａと底面１０Ｂとの長さは、接続部Ｒ２ｃと底面１０Ｂとの長さよりも長い。端部Ｒ２ａよりも接続部Ｒ２ｃの方が、Ｚ方向において底面１０Ｂ側に位置している。第２部分Ｒ２２を流れる液体は、端部Ｒ２ａから接続部Ｒ２ｃに向けて流れる。第２部分Ｒ２２においては、端部Ｒ２ａ側が上流に相当し、接続部Ｒ２ｃ側が下流に相当する。
【００７０】
つまり、第２流路Ｒ２においては、端部Ｒ２ａ側が上流に相当し、端部Ｒ２ｂ側が下流に相当する。第２流路Ｒ２を流れる液体は、端部Ｒ２ａから接続部Ｒ２ｃ（開口ＯＰ）を通過し端部Ｒ２ｂに向けて流れる。図４において、第２流路Ｒ２を流れる液体の流れ方向を矢印ＦＲ２で示す。第２流路Ｒ２を流れる液体は、第８側面１４Ｂ側から第３側面１３Ａ側に向けて流れる。第２流路Ｒ２を流れる液体の流れ方向は、第１流路Ｒ１を流れる液体の流れ方向と逆方向である。
【００７１】
図示した例において、端部Ｒ２ａは第８側面１４Ｂに接続されており、端部Ｒ２ａと第８側面１４Ｂの間には、隙間が形成されていない。端部Ｒ２ｂは、Ｘ方向において第２側面１２Ａの中央付近に位置している。このように第２流路Ｒ２を第２側面１２Ａの中央部付近まで延ばすことで、第１流路Ｒ１と同様に、第２流路Ｒ２を流れる液体の流れを第１タンクＴ１における渦流の発生や第１タンクＴ１を流れる液体の流速を速くすること等により生かすことができる。
【００７２】
図９に図示した例において、底面１０Ａ，１０Ｂに平行な面と第２部分Ｒ２２とがなす角度θ４は、底面１０Ａ，１０Ｂに平行な面と第１部分Ｒ２１とがなす角度θ３よりも大きい（θ４＞θ３）。第１部分Ｒ２１は、例えば図６を用いて説明した第１流路Ｒ１と同じ傾きで傾いている。
【００７３】
第２流路Ｒ２の第１部分Ｒ２１は、第２側面１２Ａに接続された底板３４と、底板３４に接続された側板３５とを有している。第２流路Ｒ２の第２部分Ｒ２２は、第６側面１２Ｂに接続された底板３６と、底板３６に接続された側板３７とを有している。
【００７４】
底板３４，３６は、長方形状である。図示した例において、底板３４と底板３６のＹ方向（幅方向）の長さは等しい。図示した例においては、第１流路Ｒ１の底板３１のＹ方向（幅方向）の長さは、第２流路Ｒ２の底板３４，３６のＹ方向（幅方向）の長さよりも短い。濾過装置１００の処理量に応じて、第１流路Ｒ１の底板３１のＹ方向（幅方向）の長さは、第２流路Ｒ２の底板３４，３６のＹ方向（幅方向）の長さよりも長くてもよい。側板３５，３７は第２側板１２と平行に設けられている。
【００７５】
底板３４，３６や側板３５，３７は、タンク部ＴＡを形成する底板１０や第１側板１１等と同様に、例えば金属材料で形成される。第２流路Ｒ２の第１部分Ｒ２１および第２部分Ｒ２２は、複数の板材から形成されてもよいし、１枚の板材を折り曲げることで形成されてもよい。
【００７６】
図１１に図示するように、底板３４は、Ｙ方向において、側板３５と接続された辺３５ａから第２側面１２Ａと接続された辺３４ａに向かうにしたがい底面１０Ａに近づくように傾いている。他の観点からは、Ｙ方向において、Ｚ方向の辺３５ａと底面１０Ａとの長さは、辺３４ａと底面１０Ａとの長さよりも長い。
【００７７】
図１１に図示するように、Ｙ方向において、底面１０Ａに平行な面と底板３４とがなす角度θ５は、例えば１５度以上６０度以下であって（１５°≦θ５≦６０°）、好ましくは２５度以上４５度以下である（２５°≦θ５≦４５°）。例えば、角度θ５が３０度となるように底板３４を設けることができる。また、角度θ５は、例えば図８を用いて説明した第１流路Ｒ１における、底面１０Ａに平行な面と底板３１とがなす角度θ２と等しくてもよい。
【００７８】
底板３６は、Ｙ方向において、側板３７と接続された辺３７ａから第６側面１２Ｂと接続された辺３６ａに向かうにしたがい底面１０Ｂに近づくように傾いている。他の観点からは、Ｙ方向において、Ｚ方向の辺３７ａと底面１０Ｂとの長さは、辺３６ａと底面１０Ｂとの長さよりも長い。例えば、Ｙ方向において底面１０Ｂに平行な面と底板３６とがなす角度は、角度θ５と等しい。
【００７９】
底板３４，３６が上述のように傾いていることで、第１流路Ｒ１と同様に、Ｙ方向において底板３４，３６が傾いていない場合と比較して、第２流路Ｒ２を流れる液体の流速が速くなる。第２流路Ｒ２を流れる液体の流速が速くなることで、第１タンクＴ１を流れる液体の流速を速くすることに生かすことができる。また、底板３４が上述のように傾いていることで、第１流路Ｒ１と同様に、浮遊物が第１タンクＴ１に貯留された液体の液面と底板３４との間に滞留しにくい。
【００８０】
図９に図示するように、側板３５が有する辺３５ａと反対側に位置する辺３５ｂは、Ｘ方向と平行である。側板３７が有する辺３７ａと反対側に位置する辺３７ｂは、Ｘ方向と平行である。
【００８１】
図９において、濾過装置１００の運転時における第１タンクＴ１に貯留される液体の液面を液面Ｌ１Ｌおよび液面Ｌ１Ｈにてそれぞれ示す。図５に図示した液面Ｌ１Ｌ，Ｌ１Ｈと同様である。また、第２タンクＴ２に貯留される液体の液面を液面Ｌ２Ｈで示す。液面Ｌ２Ｈは、辺３７ｂとおおよそ重なっている。第１タンクＴ１と第２タンクＴ２とを比較すると、液面Ｌ２Ｈと底面１０Ｂとの長さは、液面Ｌ１Ｈと底面１０Ａとの長さよりも長い。
【００８２】
第１タンクＴ１において、Ｚ方向の端部Ｒ２ｂと底面１０Ａとの長さＤ５は、液面Ｌ１Ｌと底面１０Ａとの長さＤ２よりも短い（Ｄ５＜Ｄ２）。つまり、端部Ｒ２ｂの少なくとも一部は、濾過装置１００の運転時に液体に浸かっている。そのため、端部Ｒ２ｂと液面との間には、隙間が形成されにくい。
【００８３】
側板３５の辺３５ｂは、Ｚ方向において液面Ｌ１Ｈよりも底面１０Ａから離れている。Ｚ方向の辺３５ｂと底面１０Ａとの長さＤ６は、液面Ｌ１Ｈと底面１０Ａとの長さＤ４よりも長い（Ｄ６＞Ｄ４）。濾過装置１００の運転時に第１タンクＴ１に貯留された液体は、側板３５を越えて第１部分Ｒ２１に流入しにくい。そのため、第１タンクＴ１に貯留された液体により第１部分Ｒ２１を流れる液体の流れは阻害されにくく、第１部分Ｒ２１を流れる液体の速度は低下しにくい。
【００８４】
一方、第２タンクＴ２において、Ｚ方向における辺３７ｂと底面１０Ｂとの長さは、液面Ｌ２Ｈと底面１０Ｂとの長さとおおよそ等しい。濾過装置１００の運転時において、第２処理装置２から第２タンクＴ２に流入する液体により第２タンクＴ２に貯留された液体の液面が液面Ｌ２Ｈを超えると、第２流路Ｒ２を介して液体が第２タンクＴ２から第１タンクＴ１に流入する。例えば、角度θ４を調整することで、第２タンクＴ２に貯留される液体の液面を調整することができる。
【００８５】
例えば、濾過装置１００の運転中において、第２タンクＴ２に流入する流量（第２処理装置２の処理量）が毎分１５０Ｌであり、第２ポンプＰ２により工作機械へ流出する流量（第１処理装置１の処理量）が毎分６０Ｌである場合、第２タンクＴ２から第１タンクＴ１へは毎分９０Ｌの液体が流入（オーバーフロー）する。また、第２タンクＴ２から第１タンクＴ１へ流入する流量は、工作機械の運転中および停止中で変化する。
【００８６】
本実施形態においては、第１流路Ｒ１の下流側の端部Ｒ１ｂおよび第２流路Ｒ２の下流側の端部Ｒ２ｂが液体に浸かっているため、所定の流速で各流路Ｒ１，Ｒ２を流れる液体を円滑に第１タンクＴ１に流入させることができる。そのため、各流路Ｒ１，Ｒ２を流れる液体の流れを第１タンクＴ１における渦流の発生や第１タンクＴ１を流れる液体の流速を速くすること等に生かすことができる。さらに、端部Ｒ１ｂ，Ｒ２ｂが液体に浸かっているため、液体が各流路Ｒ１，Ｒ２から第１タンクＴ１に流入する際に液面での泡立ちを抑制することができる。
【００８７】
第１タンクＴ１において、第１流路Ｒ１から流入する液体は、第１側面１１Ａ、傾斜面Ｓ２、第４側面１５Ａ、傾斜面Ｓ３、第２側面１２Ａ、傾斜面Ｓ４、第３側面１３Ａ、傾斜面Ｓ１、第１側面１１Ａ、傾斜面Ｓ２の順に各面に沿って第１タンクＴ１内を流れる。第２流路Ｒ２から流入する液体も、第２側面１２Ａから同様の順番で各面に沿って第１タンクＴ１内を流れる。各流路Ｒ１，Ｒ２から流入する液体が上述のように各面に沿って第１タンクＴ１内を流れることで、渦流が発生する。
【００８８】
さらに、液体が各側面１１Ａ〜１３Ａ，１５Ａだけでなく傾斜面Ｓ１〜Ｓ４に沿って流れるため、傾斜面Ｓ１〜Ｓ４が設けられていない場合と比較して、第１タンクＴ１を流れる液体の流速を大幅に速くすることができる。
【００８９】
図１２は、濾過装置１００の第１タンクＴ１側の概略的な斜視図である。図１２においては、濾過装置１００の第１タンクＴ１側を示し、他の部分は省略している。第１ポンプＰ１は、第１タンクＴ１の上方側に設けられたサポートＳＡ１により、第１タンクＴ１の中央部ＣＥに設けられている。サポートＳＡ１は、例えば、鋼材や板材により形成されている。さらに、サポートＳＡ２がサポートＳＡ１から底面１０Ａに向けて延びており、サポートＳＡ２の先端部に板材ＢＰが取り付けられている。サポートＳＡ１，ＳＡ２は、底板１０や第１側板１１等と同様に、例えば金属材料で形成されている。
【００９０】
板材ＢＰは、第１ポンプＰ１と第１側板１１の第１側面１１Ａとの間に設けられている。板材ＢＰは、第１側面１１Ａよりも第１ポンプＰ１の近くに位置している。図示した例に限られず、板材ＢＰが設けられる位置は、第１ポンプＰ１と各側面１２Ａ，１３Ａ，１５Ａ，傾斜面Ｓ１〜Ｓ４の間であってもよい。板材ＢＰが設けられる位置は、第１ポンプＰ１と各接続部Ｊ１〜Ｊ４の間であってもよい。
【００９１】
図１３は、図１２における板材ＢＰの近傍を拡大して示す図である。図１４は、図１３における板材ＢＰの概略的な平面図である。図１４には、渦流の流れ方向である矢印Ｆを示す。図示した例において、板材ＢＰの形状は、長方形状である。板材ＢＰは、面Ｂ１と、面Ｂ１と反対側に位置する面Ｂ２を有している。板材ＢＰは、面Ｂ１が渦流の流れ方向と交差するように第１タンクＴ１に設けられている。
【００９２】
図示した例においては、板材ＢＰはＺ方向と平行に設けられている。サポートＳＡ２は、面Ｂ２と接続されている。サポートＳＡ２は、例えば棒状の部材であり、図示した例においては丸棒である。板材ＢＰは、タンク部ＴＡを形成する底板１０や第１側板１１等と同様に、例えば金属材料で形成される。
【００９３】
板材ＢＰは、第１側面１１Ａ側（第１ポンプＰ１から離れた側）の端部Ｂａが曲げられている。図１４に図示した例においては、端部ＢａはＲ形状に曲げられている。他の観点からは、板材ＢＰは第１側面１１Ａ側に位置する湾曲した面を有する部分と、平らな面を有する部分とを有している。端部Ｂａは、例えば湾曲した面を有する部分に相当する。板材ＢＰは、端部Ｂａを渦流の流れ方向（矢印Ｆ）と反対方向に向けて設けられている。
【００９４】
図１３に図示するように板材ＢＰの周囲には、底面１０Ａとの間に隙間ＳＰ１、第１ポンプＰ１との間に隙間ＳＰ２および第１側面１１Ａとの間に隙間ＳＰ３が形成されている。他の観点からは、板材ＢＰは底面１０Ａや第１ポンプＰ１、第１側面１１Ａと接触していない。第１タンクＴ１に貯留された液体は、板材ＢＰの周囲を流れることができる。
【００９５】
図１３において、濾過装置１００の運転時における第１タンクＴ１に貯留される液体の液面を液面Ｌ１Ｌにて示す。図５，９に図示した液面Ｌ１Ｌと同様である。また、図１３には、第１ポンプＰ１が運転時に空気（エア）を吸い込まないために必要な液面を液面Ｌ１ＬＬで示す。
【００９６】
板材ＢＰの底面１０Ａ側の辺Ｂ１ａと底面１０Ａとの長さＤ７は、液面Ｌ１Ｌと底面１０Ａとの長さＤ２よりも短い（Ｄ７＜Ｄ２）。つまり、板材ＢＰの少なくとも一部は、濾過装置１００の運転時に液体に浸かっている。辺Ｂ１ａと底面１０Ａとの長さＤ７は、液面Ｌ１ＬＬと底面１０Ａとの長さＤ８よりも短い（Ｄ７＜Ｄ８）。図示されていないが第１タンクＴ１の液面が液面Ｌ１Ｈの場合においては、板材ＢＰの全体が液体に浸かる。また、液面Ｌ１ＬＬと底面１０Ａとの長さＤ８は、液面Ｌ１Ｌと底面１０Ａとの長さＤ２よりも短い（Ｄ８＜Ｄ２）。
【００９７】
第１タンクＴ１を流れる液体の流速が速くなると渦流が発生した際に、第１タンクＴ１に貯留された液体の液面がすり鉢状に変化する場合がある。このとき、第１タンクＴ１の液面高さは、各側面１１Ａ〜１３Ａ，１５Ａ側から中央部ＣＥ側（第１ポンプＰ１側）に向かうにしたがい低くなる。第１ポンプＰ１側の液面が極端に低下すると、第１ポンプＰ１が運転時に空気（エア）を吸い込んでしまう原因（エアかみ）となり得る。板材ＢＰを設けることで、第１タンクＴ１での上述のような液面の変化を抑制することができる。
【００９８】
板材ＢＰの周囲には隙間ＳＰ１〜ＳＰ３が形成されているため、第１タンクＴ１の底面１０Ａ側を流れる液体の流れが阻害されにくい。そのため、第１タンクＴ１内の異物は、板材ＢＰの周囲に滞留しにくい。板材ＢＰが設けられた場合であっても、渦流の異物へ作用する向心力が妨げられにくい。
【００９９】
さらに、端部Ｂａが曲げられることで、板材ＢＰの面Ｂ１側には、端部Ｂａに沿って第１ポンプＰ１側に向かう液体の流れが形成される。そのため、面Ｂ１側に位置する異物は、第１ポンプＰ１側に流れやすい。また、板材ＢＰの面Ｂ２側においても端部Ｂａに沿って液体が流れるため、端部Ｂａが曲げられていない場合と比較して、面Ｂ２側の液面高さが面Ｂ１側の液体高さより低くなることを抑制することができる。
【０１００】
図１５は、第１タンクＴ１に設けられる板材ＢＰの他の例を示す概略的な平面図である。図１５においては、第１タンクＴ１には、２枚の板材ＢＰが設けられている。濾過装置１００の処理量が多い場合には、図示したように板材ＢＰを２枚設けてもよい。
【０１０１】
濾過装置１００の処理量が多く、第１タンクＴ１を流れる液体の流速が速い場合であっても、板材ＢＰを２枚設けることで図１３，図１４を用いて説明した効果と同様の効果を得ることができる。２枚の板材ＢＰは、図１５に図示するように、第１ポンプＰ１（渦流の中央部）に対して１８０度対称の位置に設けることが好ましい。板材ＢＰの端部Ｂａは、渦流の流れ方向（矢印Ｆ）と反対方向を向いている。
【０１０２】
以上説明した本実施形態によれば、工作機械から排出された液体に含まれる異物を効率的に処理することができる。つまり、第１タンクＴ１には、貯留された液体に均一な速い流れを形成することができるため、第１タンクＴ１内に異物の滞留や堆積が生じにくく、発生した渦流により第１タンクＴ１内の異物のほとんどを中央部ＣＥに集めることができる。
【０１０３】
第１タンクＴ１内の異物が中央部ＣＥに集められ、集められた異物が液体とともに第２処理装置２にて確実に処理されるため、濾過装置１００により液体に含まれる異物を効率的に処理することが可能となる。さらに、第１タンクＴ１内のほとんどの異物が第１ポンプＰ１により第２処理装置２に排出されるため、異物が第１タンクＴ１内で泥状の固体（スラッジ）等を形成しにくく、点検時に掃除等による異物を処理する負担を軽減することができる。
【０１０４】
また、第１流路Ｒ１の下流側の端部Ｒ１ｂおよび第２流路Ｒ２の下流側の端部Ｒ２ｂを液体に浸けることで液体が第１タンクＴ１に流入する際に液面での泡立ちが抑制されるため、異物の処理が液面の泡等の浮遊物により妨げられにくい。
【０１０５】
第１タンクＴ１を流れる液体の流速が上がった場合であっても第１タンクＴ１に板材ＢＰを設けることで、第１ポンプＰ１の運転時にエアかみが発生しにくく、第１タンクＴ１から液体を第１ポンプＰ１で排出することができる。
【０１０６】
また、第１タンクＴ１が正方形状であれば、円筒形状のタンクと比較して、第１タンクＴ１の容量を増加させることができるだけでなく、異物を含んだ液体を効率よく処理することができる。
【０１０７】
以上説明した他にも、本実施形態からは種々の好適な作用が得られる。本実施形態に係る濾過装置１００の構成は一例にすぎない。濾過装置１００は、例えば第２タンクＴ２に貯留された液体の液面等から油を回収する油回収装置や、液温を調整するための温調機（クーラー）等の他の構成をさらに備えてもよい。
【０１０８】
また、タンクの形状は、上述の例に限られない。図１６は、タンク部ＴＡの他の例を示す概略的な側面図である。図１７は、タンク部ＴＡの他の例を示す概略的な平面図である。例えば、図１６および図１７に図示するように、第１タンクＴ１および第２タンクＴ２は、平面視において長方形状であってもよい。例えば、第１タンクＴ１において、短辺の長さを１とした場合、長辺の長さは１以上１．３以下である。
【０１０９】
第１タンクＴ１における短辺の長さと長辺の長さの比は、例えば１：１．３である。この場合、Ｘ方向の長さＸ１とＹ方向の長さＹ１の比が１．３：１でもよいし（Ｘ１：Ｙ１＝１．３：１）、Ｘ方向の長さＸ１とＹ方向の長さＹ１の比が１：１．３でもよい（Ｘ１：Ｙ１＝１：１．３）。
【０１１０】
第１タンクＴ１および第２タンクＴ２はそれぞれ長方形状であってもよいし、どちらか一方のみが長方形状であってもよい。第１タンクＴ１が長方形状であっても、第１ポンプＰ１は第１タンクＴ１の中央部ＣＥに位置している。図示するように第１タンクＴ１のＸ方向の長さＸ１は、第２タンクＴ２のＸ方向の長さＸ２よりも長くてもよい。
【０１１１】
図１８は、第２流路Ｒ２の他の例を示す概略的な平面図である。第２流路Ｒ２の第２部分Ｒ２２において、端部Ｒ２ａと第８側面１４Ｂの間には、隙間が形成されてもよい。この場合、端部Ｒ２ａには、第４側板１４と平行な側板３８がさらに設けられてもよい。例えば、端部Ｒ２ａは、Ｘ方向において仕切り板１５よりも第４側板１４の近くに位置している。
【０１１２】
また、第１処理装置１の位置は、上述の例に限られない。図１９は、第１タンクＴ１における第１処理装置１が設けられる位置の他の例を示す平面図である。図１９においては、第１処理装置１は、第１タンクＴ１の接続部Ｊ４側に位置している。例えば、第１処理装置１は、Ｚ方向において板材２４と重なっている。
【０１１３】
この場合、第１流路Ｒ１は、第１タンクＴ１において第３側板１３の第３側面１３Ａに沿って設けられている。第１流路Ｒ１の端部Ｒ１ａは、第２側板１２側に位置し、端部Ｒ１ｂは第１側板１１側に位置している。端部Ｒ１ａは第２側面１２Ａに接続されており、端部Ｒ１ａと第２側面１２Ａの間には、隙間が形成されていない。第１流路Ｒ１を流れる液体は、第２側面１２Ａ側から第１側面１１Ａ側に向けて流れる。
【０１１４】
図２０は、第１タンクＴ１における第１処理装置１が設けられる位置のさらに他の例を示す平面図である。図２０においては、第１処理装置１は、第１タンクＴ１の接続部Ｊ２側に位置している。例えば、第１処理装置１は、Ｚ方向において板材２２と重なっている。この場合、第１流路Ｒ１は、第１タンクＴ１において仕切り板１５の第４側面１５Ａに沿って設けられている。
【０１１５】
第１流路Ｒ１の端部Ｒ１ａは、第１側板１１側に位置し、端部Ｒ１ｂは第２側板１２側に位置している。端部Ｒ１ａは第１側面１１Ａに接続されており、端部Ｒ１ａと第１側面１１Ａの間には、隙間が形成されていない。第１流路Ｒ１を流れる液体は、第１側面１１Ａ側から第２側面１２Ａ側に向けて流れる。
【０１１６】
図１９および図２０に図示した例においては、第１流路Ｒ１を流れる液体の流れ方向は、第２流路Ｒ２を流れる液体の流れ方向と交差している。図１９および図２０に図示した例においても、第１タンクＴ１には、第１流路Ｒ１および第２流路Ｒ２から液体が流入することにより渦流が発生する。
【符号の説明】
【０１１７】
１００…濾過装置、１…第１処理装置、１ａ…出口、２…第２処理装置、１０Ａ，１０Ｂ…底面、１１Ａ…第１側面、１２Ａ…第２側面、１３Ａ…第３側面、１５Ａ…第４側面、２１〜２４…板材、３１，３２，３４，３６…底板、ＢＰ…板材、Ｂ１…面、Ｂａ…端部、Ｃ１〜Ｃ４…角、ＣＥ…中央部、Ｊ１〜Ｊ４…接続部、Ｐ１…第１ポンプ、Ｐ２…第２ポンプ、Ｒ１…第１流路、Ｒ１ａ，Ｒ１ｂ…端部、Ｒ２…第２流路、Ｒ２ａ，Ｒ２ｂ…端部、Ｓ１〜Ｓ４…傾斜面、ＴＡ…タンク部、Ｔ１…第１タンク、Ｔ２…第２タンク。
【要約】      （修正有）【課題】工作機械から排出された液体に含まれる異物をより効率的に処理することができる濾過装置を提供する。【解決手段】本発明の一態様に係る濾過装置１００は、異物を含む液体が流入する第１タンクＴ１を有するタンク部ＴＡと、第１タンクＴ１の中央部に設けられ、第１タンクＴ１に貯留された液体を排出するポンプＰ１と、を備えている。第１タンクＴ１は、第１タンクＴ１の底面と底面に接続された２つの側面が接続された角を覆い、２つの側面が接続された接続部から中央部に向かうにしたがい底面に近づくように傾く傾斜面を有している。第１タンクＴ１に流入する液体により、第１タンク内Ｔ１に渦流を発生させ、異物を第１タンクＴ１の中央部に集めてポンプＰ１により排出する。【選択図】図１【図１】
0006984925.tif 000002
【図２】
0006984925.tif 000003
【図３】
0006984925.tif 000004
【図４】
0006984925.tif 000005
【図５】
0006984925.tif 000006
【図６】
0006984925.tif 000007
【図７】
0006984925.tif 000008
【図８】
0006984925.tif 000009
【図９】
0006984925.tif 000010
【図１０】
0006984925.tif 000011
【図１１】
0006984925.tif 000012
【図１２】
0006984925.tif 000013
【図１３】
0006984925.tif 000014
【図１４】
0006984925.tif 000015
【図１５】
0006984925.tif 000016
【図１６】
0006984925.tif 000017
【図１７】
0006984925.tif 000018
【図１８】
0006984925.tif 000019
【図１９】
0006984925.tif 000020
【図２０】
0006984925.tif 000021